(57)【要約】　
　　【課題】　紙製で、タオルの販売時には化粧箱として用い、販売後には、壁などに掛けてタオルの収納箱として用いることのできる、タオルの化粧箱兼収納箱を提供する。
　　【解決手段】　平らな厚紙製の箱本体１と、取出し口補強体２とからなる。箱本体１は、折曲げ線４を介して互に連設された、正面板１１と、左右の側面板１２、１３と、背面板１４と、蓋板１５と、底板１６とからなる。底板１６にはタオルの取出し口２６がある。取出し口補強体２は、折曲げ線４を介して互に連設された、裏板３１と、直立板３３と、傾斜板３４と、表板３５と、傾斜板３６と、直立板３７と糊代片３８とからなる。裏板３１と表板３５とには取出し開口３２、３９があって、裏板３１と表板３５とは互に重なるように折曲げて固定される。この取出し口補強体２は底板１６の取出し口２６の内側に取付ける。
【選択図】　図１
0003100043.tif 000002
【実用新案登録請求の範囲】
【請求項１】
平らな厚紙で構成された箱本体と、取出し口補強体とからなり、箱本体は、折曲げ線を介して互に連設された、正面板と、左右の側面板と、背面板と、蓋板と、底板とで構成され、底板にはタオルの取出し口が形成され、この取出し口の内側に取出し口補強体が取付けられる、タオルの化粧箱兼収納箱。
【請求項２】
取出し口補強体は、折曲げ線を介して互に連設された、裏板と、直立板と、傾斜板と、表板と、傾斜板と、直立板と、糊代片とで構成され、裏板と表板とには取出し開口が形成されていて、裏板と表板とは重なるように折曲げて固定されている請求項１記載のタオルの化粧箱兼収納箱。
【請求項３】
底板の取出し口の周縁に、折曲げ線を介して折返し片が設けられていて、この折返し片を折返して貼着し、取出し口の周縁を補強するようになっている請求項１記載のタオルの化粧箱兼収納箱。
【請求項４】
取出し口補強体の表板の取出し開口の周縁には、折曲げ線を介して折返し片が設けられていて、この折返し片を、裏板の取出し開口を通して裏板の裏面に折返して貼着し、取出し開口を補強するようになっている請求項２記載のタオルの化粧箱兼収納箱。
【請求項５】
左右の側面板の上縁に、折曲げ線を介して補強片が設けられ、この補強片は断面が３角形になるように折曲げて、側面板の上縁内側に付いた状態になる請求項１記載のタオルの化粧箱兼収納箱。
【請求項６】
蓋板の折曲げ部に、添付け補強体を貼付けて、折曲げ部を補強するようになっている請求項１記載のタオルの化粧箱兼収納箱。
【考案の詳細な説明】
【技術分野】
【０００１】
　本考案は、タオルの販売時には、化粧箱として、また、販売後には壁などに吊り掛けてタオル収納箱として利用できる化粧箱兼収納箱に関する。
【背景技術】
【０００２】
　通常、タオルのギフトとしての販売は、数枚〜十数枚を１つの化粧箱に入れて販売されている。この際の化粧箱は、ほとんどが紙製で、その用途は販売のみに限定され、販売後は使い捨てで、破棄されるのが普通である。他方、タオル使用時の為に、折り畳んだタオルを数枚、積み重ねてケースに収納し、これを壁などに掛けておいて、順次、ケース底面の取出し口からタオルを１枚づつ引出して使用するようになった壁掛け用のタオル収納ケースも提案されている（例えば、特許文献１参照）。この際のケースは、通常、プラスチック製で、丈夫であり、長期使用にも耐えるものである。
【０００３】
【特許文献１】実開昭５８−１９５５９２号公報
【考案の開示】
【考案が解決しようとする課題】
【０００４】
　ところが、従来のように単に販売の為だけの化粧箱では、あまりにも不経済で、資源の浪費の点からも好ましくない。また、プラスチック製の壁掛け用のタオル収納ケースは、タオルとは別に、独立して販売されるものであり、それなりに高価である為、一般へ広く普及するに至っていない。
【０００５】
　本考案は、このような点に鑑み、紙製のタオル化粧箱にある程度、強度を持たせ、販売後は、壁などに掛けてタオル収納箱としても再利用できるようにした、タオルの化粧箱兼収納箱を提供するにある。更に、本考案は、製造が簡単で、廉価に提供可能な、タオルの化粧箱兼収納箱を提供するにある。
【課題を解決するための手段】
【０００６】
　本発考案のタオルの化粧箱兼収納箱の技術的手段は、平らな厚紙で構成された箱本体と、取出し口補強体とからなり、箱本体は、折曲げ線を介して互に連設された、正面板と、左右の側面板と、背面板と、蓋板と、底板とで構成され、底板にはタオルの取出し口が形成され、この取出し口の内側に取出し口補強体が取付けられることにある。
【０００７】
　また、取出し口補強体は、折曲げ線を介して互に連設された、裏板と、直立板と、傾斜板と、表板と、傾斜板と、直立板と、糊代片とで構成され、裏板と表板とには取出し開口が形成されていて、裏板と表板とは重なるように折曲げて固定されるようにしてもよい。更に、底板の取出し口の周縁に、折曲げ線を介して折返し片が設けられていて、この折返し片を折返して貼着し、取出し口の周縁を補強するようにしてもよい。また、取出し口補強体の表板の取出し開口の周縁には、折曲げ線を介して折返し片が設けられていて、この折返し片を、裏板の取出し開口を通して裏板の裏面に折返して貼着し、取出し開口を補強するようにしてもよい。更に、左右の側面板の上縁に、折曲げ線を介して補強片が設けられ、この補強片は断面が３角形になるように折曲げて、側面板の上縁内側に付いた状態になるようにしてもよい。また、蓋板の折曲げ部に、添付け補強体を貼付けて、折曲げ部を補強するようにしてもよい。
【考案の効果】
【０００８】
　本考案の化粧箱兼収納箱は、タオルの販売時には、化粧箱として用い、販売後には、壁などに掛けてタオルの収納箱として再利用できるので、従来のように化粧箱としての使用後は破棄するというのに比べて、資源利用上、有益である。更にタオルの収納箱として利用する際には、タオルを折畳んで積み重ねて箱内に収納しておき、必要に応じて、底板の取出し口からタオルを１枚づつ引出して使用できるので、実用上、極めて便利である。また、タオルの取出し口には、補強体が取付けられているので、タオルの引出しによって、取出し口が変形したり、破損したりすることがなく、長期に互って安定的に使用可能である。更に、本考案は、平らな厚紙を折曲げただけで構成されているので、製造は容易で、コストも低く、廉価に提供可能である。
【０００９】
　請求項２のものは、底板の取出し口の内側に取付けられた取出し口補強体は２重構造になっているので、強度が高く、たとえ強い力でタオルが引出されても取出し口の変形や破損は起らない。また、取出し口補強体では、取出し開口の両側が傾斜面になっているので、タオルの引出しをスムーズに行える。
【００１０】
　請求項３のものでは、底板の取出し口の周縁が、折返し片で補強されているので、取出し口の強度をより一層高めることができる。
【００１１】
　請求項４のものでは、表板の取出し開口の周縁が、折返し片で補強されるので、取出し開口の強度を更に高めることができる。
【００１２】
請求項２のものでは、左右の側面板の上縁には、断面が３角形となるように折曲げた補強片が付いているので、吊り紐で吊り下げた場合などに、側面板が変形するのを防止できる。
【００１３】
　請求項６のものでは、蓋板の折曲げ部に、添付け補強体を貼付けるので、頻繁な蓋板の開閉によっても、折曲げ部の切損を防止できる。
【考案を実施するための最良の形態】
【００１４】
　本考案のタオルの化粧箱兼収納箱を実施する為の最良の形態を、図面の実施例に基づいて説明する。図１には、製造時の展開図が示されている。素材は、適度な厚さの平らな厚紙で、これを折曲げて箱に成形する。本考案は、紙製の３要素で構成され、箱の６面を形成する箱本体１と、箱底に取付ける取出し口補強体２と、蓋の折曲げ部に取付ける添付け補強体３とからなる。
【００１５】
　箱本体１は、通常の紙箱のように折曲げ線４を介して連設された、正面板１１、側面板１２、１３、背面板１４、蓋板１５及び底板１６からなる。正面板１１には、中央に覗窓１７があって、ここには透明フィルムが貼られる。また覗窓１７の周縁には、折曲げ線４を介して折返し片１８が設けられていて、この折返し片１８を内側に折返すことによって、窓の周縁を補強している。更に、正面板１１の上端縁にも、折曲げ線４を介して折返し片１９が設けられていて、上縁部を補強するようになっている。
【００１６】
　側面板１２、１３には、その上部中央に紐孔２０が設けられていて、ここに吊り紐２１を通して、図２のように箱を壁などに吊り掛ける。更に、この紐吊りの補強の為に、側面板１２、１３の上端縁には、折曲げ線４を介して補強片２２が設けられている。この補強片２２は、断面が３角形となるように折曲げて、側面板の上端縁内側に付け、吊り下げ時の荷重によって側面板１２、１３が撓まないように補強する役目を果たす。また側面板１２、１３の下端縁には、固定用の挿込み片５が設けられていて、箱の組立て時に底板１６のスリット６に挿込まれる。更に、側面板１２の側縁には折曲げ線４を介して糊代片２３が形成されていて、背面板１４の縁に貼着される。
【００１７】
　背面板１４の下端縁には、固定用の挿込み片５が設けられていて、底板１６のスリット６に挿込まれる。背面板１４の上縁には折曲げ線４を介して蓋板１５が取付けられ、この蓋板１５の先端縁には、折曲げ線４を介して舌片２４が設けられている。また、この舌片２４は折返して２重になっている。更に蓋板１５の側縁には、折曲げ線４を介して折返し片２５が設けられている。
【００１８】
　底板１６には中央に取出し口２６が形成されている。この取出し口２６の周縁には折曲げ線４を介して折返し片２７が設けられていて、取出し口の周縁を補強している。また、底板６の３周縁には、折曲げ線４を介して、底板の側壁となる舌片２８が形成されている。更に、折曲げ線４の位置には、前記のスリット６が形成されている。
【００１９】
　次に、取出し口補強体２について説明する。３１は裏板で、その中央には取出し開口３２が形成されている。この裏板３１には、それぞれ折曲げ線４を介して、順次、直立板３３、傾斜板３４、表板３５、傾斜板３６、直立板３７、糊代片３８が連設されている。更に、表板３５の取出し開口３９の周縁には折曲げ線４を介して折返し片４０が設けられていて、表板３５を裏板３１に重ねた上で、折返し片４０を、裏板の取出し開口３２の下側に折返して、折返し片４０を裏板３１の裏面に貼着させる。これにより、表板３５と裏板３１とはしっかりと固定され、かつ、取出し開口３２、３９の強度が高くなる。このようにして、組立てた取出し口補強体２は、図４のように底板１６の内側に重ねて取付ける。これにより、取出し口２６の強度は増し、タオルを強く引出しても取出し口２６が変形したり、破損したりすることがなくなり、かつ、傾斜板３４、３６の存在によって、タオルがスムーズに引出されるようになる。
【００２０】
　添付け補強体３は、蓋板１５の折曲げ部を補強する為に、添えるように貼着される。これによって、蓋板１５が頻繁に開閉されても、折曲げ部の破損を防止できる。
【００２１】
　以上のように本考案の箱は、紙製ではあるが、要所はしっかりと補強されている。例えば、正面板１１の覗窓１７の周縁は折返し片１８で補強され、また、左右の側面板１２、１３の上縁は、補強片２２によって、吊り下げ時の荷重で側面板が撓まないように補強されている。更に、蓋板１５の折曲げ部は添付け補強体３で補強され、また、底板１６は、箱組立状態で、左右の側面板１２、１３や背面板１４の下端に設けられた挿込み片５を、底板１６に設けられたスリットに挿込んで固定する形式になっていて、組立後の箱の底板１６はしっかりと固定される。また、底板１６の取出し口２６の周縁は、折返し片２７で補強されている。更に、この取出し口２６の内側には補強体２が設けられるので、強い力でタオルを引出しても、取出し口２６が変形したり、破損したりすることがない。従って、本考案の箱を用いれば、販売時には箱内にタオルＡを入れた状態で販売できる他、販売後には、この箱を吊り紐２１によって壁などに掛け、箱内にはタオルＡを折畳んで積み重ねて収納しておけば、必要な時には箱底の取出し口２６から自由にタオルを１枚づつ引出して使用することができる。従って本考案の箱は、販売時の化粧箱である他、販売後にはタオル収納箱としても利用できるので、資源経済上、極めて優れたものである。
【００２２】
　本考案は、前記の実施例に限定されるものではなく、実用新案登録請求の範囲の記載の範囲内で自由に変形実施可能である。特に、箱の各部を補強する構成は、自由に変形可能である。
【図面の簡単な説明】
【００２３】
【図１】本考案の化粧箱兼収納箱の展開図
【図２】収納箱として、吊下げ使用時の斜視図。
【図３】蓋板を開いた状態の斜視図。
【図４】底板を開いて、取出し口補強体を分離した状態の斜視図。
【符号の説明】
【００２４】
１　　　　　　箱本体
２　　　　　　取出し口補強体
３　　　　　　添付け補強体
４　　　　　　折曲げ線
５　　　　　　挿込み片
６　　　　　　スリット
１１　　　　　正面板
１２、１３　　側面板
１４　　　　　背面板
１５　　　　　蓋板
１６　　　　　底板
１７　　　　　覗窓
２２　　　　　補強片
２６　　　　　取出し口
２７　　　　　折返し片
３１　　　　　裏板
３２、３９　　取出し開口
３３、３７　　直立板
３４、３６　　傾斜板
３５　　　　　表板
４０　　　　　折返し片
【図１】
0003100043.tif 000003
【図２】
0003100043.tif 000004
【図３】
0003100043.tif 000005
【図４】
0003100043.tif 000006